(57)【要約】  基材と、切断部（１２０）と、接着剤（１２２）とを含むシート材料に付けるタブ（１００）。基材は、前側（１０４）と、前側と反対の裏側（１０６）と、さらに上部（１０８）と下部（１１０）とを含む。基材の上部を通る切断部はフラップを形成する。接着剤は、基材の裏側の下部に沿っており、基材の上部には接着剤は付いていない。
2008504998.tif 000002
【特許請求の範囲】
【請求項１】
前側と前記前側と反対の裏側と、さらに上部および下部と、フラップを形成するための前記基材の上部を通る切断部とを含む基材と、
前記基材の前記裏側の前記下部に沿って付いており、前記上部には付いていない接着剤と
を含む、シート材料に付けるタブ。
【請求項２】
前記シート材料の縁部は、前記フラップと、前記前側か前記裏側のいずれかとの間で前記切断部に対して配置されて、前記基材の前記上部が前記シート材料の前記縁部を超えて延在している請求項１に記載のタブ。
【請求項３】
前記シート材料の縁部は、前記フラップと、前記基材の前記裏側との間で前記切断部に対して配置され、前記接着剤は紙のシートに接合する請求項２に記載のタブ。
【請求項４】
前記シート材料の縁部は、前記フラップと、前記基材の前記前側との間で前記切断部に対して配置され、前記接着剤は別個の支持面に接合している請求項２に記載のタブ。
【請求項５】
前記タブの上縁、
前記切断部の第１の端部、
前記切断部の第２の端部をさらに含み、
前記切断部の前記第1の端部から前記タブの前記上縁までの距離および前記切断部の第２の端部から前記タブの前記上縁までの距離が等しい請求項１に記載のタブ。
【請求項６】
前記基材が、前記基材の前記上部および前記下部を通過する長手方向軸をさらに含む請求項１に記載のタブ。
【請求項７】
前記切断部が前記長手方向軸に関して対称である請求項６に記載のタブ。
【請求項８】
前記切断部は略Ｕ形であり、前記切断部の水平部分は前記長手方向軸に垂直であり、前記切断部の垂直部分は前記長手軸に平行である請求項６に記載のタブ。
【請求項９】
前記基材が略矩形である請求項１に記載のタブ。
【請求項１０】
前記基材が略円形である請求項１に記載のタブ。
【請求項１１】
前記基材が薄く可撓性である請求項１に記載のタブ。
【請求項１２】
前記接着剤が貼り直し可能な感圧接着剤である請求項１に記載のタブ。
【請求項１３】
前側と前記前側と反対の裏側とを含む基材であって、前記基材の上部および下部を通過する長手方向軸をさらに含む基材と、
前記基材の前記上部を通る一対の切断部であって、前記長手方向軸をはさんで鏡像であり、前記長手軸をはさんで対称の前記基材にフラップを形成するべく結合された切断部と、
前記基材の前記裏側の前記下部に沿って付いており、前記上部には付いていない接着剤と
を含む、シート材料の縁部に付けるタブ。
【請求項１４】
前記フラップと、前記前側か前記裏側のいずれかとの間で前記一対の切断部に対して紙のシートの縁部が配置されて、前記基材の前記上部が前記紙のシートの前記縁部を超えて延在している請求項１３に記載のタブ。
【請求項１５】
前記一対の切断部が略Ｕ形である請求項１３に記載のタブ。
【請求項１６】
前記一対の切断部が略Ｖ形である請求項１３に記載のタブ。
【請求項１７】
第１の側および前記第１の側と反対の第２の側と、前記基材の上部および下部を通過する長手方向軸と、前記上部に沿った縁部とを含む基材と、
フラップを画定する前記基材の前記上部を通る切断部であって、第１の端部と第２の端部とを含み、前記第１の端部から前記基材の縁部までの距離と、前記第２の端部から前記基材の前記縁部までの距離が等しい切断部と、
前記基材の前記第２の側の前記下部に沿って付いており、前記上部には付いていない接着剤と
を含む、シート材料の縁部に付けるタブ。
【請求項１８】
前記切断部が前記長手方向軸をはさんで略対称である請求項１７に記載のタブ。
【請求項１９】
前記切断部が略Ｕ形である請求項１８に記載のタブ。
【請求項２０】
前記切断部が略Ｖ形である請求項１８に記載のタブ。
【請求項２１】
前記シート材料の縁部は、前記フラップと、前記前側か前記裏側のいずれかとの間で前記切断部の前記第１の端部および前記第２の端部に対して配置されて、前記基材の前記上部が前記シート材料の前記縁部を超えて延在している請求項１７に記載のタブ。
【発明の詳細な説明】
【技術分野】
【０００１】
本発明は接着コート平面物品に関する。特に、本発明は、紙のシートの一部を受けてタブを形成するカットアウトフラップを有する接着コート平面物品に関する。
【背景技術】
【０００２】
大量の書類を扱う際、書類を分類したり、または特に重要な書類に付箋を付けるのが望ましいことが多い。ある分類の終わりと他の分類の始まりに印をすることにより書類を分類したり、または特に重要なページを目立たせるにはタブが有用である。ページに付箋を付けることに加えて、そのページにメモをすることも望ましいことが多い。しかしながら、書類を元の状態に維持することが重要な場合には、付箋を付けたページに直接マーキングをすることは望ましくない。
【０００３】
紙の積み重ねまたはバインダーから紙のページに付箋を付けるには、一般的に、別のタブページをバインダーに挿入したり、付箋を付けた紙に接着剤の付いた紙を付ける。別のタブページの追加によって、紙の積み重ねの嵩が増える。さらに、別のタブのページは、そのタブページが関連書類より前にあるため、書類に直接関連させてメモを配置することはできない。
【０００４】
接着剤の付いた紙を用いてページに付箋を付けるのは、ページに付箋を付け、書込み面を与えるのに有用である。しかしながら、３Ｍポストイット（Ｐｏｓｔ−ｉｔ）（登録商標）ブランドメモのような接着メモをこの目的で用いると、メモが付箋付き紙と適切に並ばず、ページから延在する不均一なタブ（すなわち、長さの異なるタブ、曲がったタブ等）となる。不均一なタブでマーキングされた書類により、膨大な紙が未整理でまとまりのないものに見える。
【発明の開示】
【発明が解決しようとする課題】
【０００５】
シート材料を付けるタブは、基材と、切断部と、接着剤とを含む。基材は、前側と、前側と反対の裏側と、さらに上部と下部とを含む。基材の上部を通る切断部はフラップを形成する。接着剤は、基材の裏側の下部に沿っており、基材の上部には接着剤は付いていない。
【０００６】
上述の図面には本発明のいくつかの実施形態を規定してあるが、説明に記載したその他の実施形態も考えられる。全ての場合において、この開示は本発明を例示するものであり、限定するものではない。様々なその他の修正および実施形態は、本発明の原理の技術思想および範囲に含まれる当業者にとって考案できるものと考えられる。図面は寸法を示すべく描かれてはいない。同じ部分を示すのに同じ参照番号が図面全体に用いられている。
【発明を実施するための最良の形態】
【０００７】
図１は、タブ１００の前側１０４の平面図である。タブ１００は、中に内部切断部１２０を有する基材１０２を含む。基材１０２は紙、カードストックペーパー、薄膜プラスチックまたはその他同様のタイプの可撓性材料とすることができる。基材１０２は、第１の側縁１０３、第２の側縁１０５、下縁１０９および上縁１１１を有している。基材１０２は、上部１０８と下部１１０とを有している。上部１０８に沿っているのは基材の裏側の上縁１１１であり、下部１１０に沿っているのは下縁１０９である。基材１０２は、図２に示す通り、前側１０４と裏側１０６とを有している。
【０００８】
図１に示す実施形態における基材１０２は、縁部を丸めた略矩形であるが、長手方向軸１１２周囲に略対称である。しかしながら、他の実施形態において、基材１０２は長手方向軸１１２周囲で非対称とすることができる。上部１０８の各丸めた縁部の半径は、下部１１０の各丸めた縁部の半径より小さく、タブ１００の上下に対して使用者に目視および触知のシグナルを与える。
【０００９】
切断部１２０は、基材１０２の上部１０８を通って延在している。切断部１２０は、第１の端部１２１と第２の端部１２３とを有している。切断部１２０は、全体として、幅１１８、第１の長さ１１６と第２の長さ１１７とを有している。切断部１２０の第１の端部１２１からタブ１００の上縁１１１までの第１の距離１２６は、切断部１２０の第２の端部１２３からタブ１００の上縁１１１までの第２の距離１２８に等しい。切断部１２０は、長手方向軸１１２周囲に対称または鏡像として描かれており、長手方向軸１１２の各側の切断部１２０の幅１１８および長さ１１６と１１７は同じである。切断部１２０はＵ形として示されているが、フラップ１１４を画定するその他好適な形状としてよい。
【００１０】
基材１０２を通る切断部１２０はフラップ１１４を形成する。基材１０２は、通常、可撓性材料で構築されるため、フラップ１１４も同様に可撓性である。
【００１１】
図２は、タブ１００の裏側１０６の平面図である。基材１０２の裏側１０６は接着剤１２２のバンドである。接着剤１２２は、切断部１２０から反対の基材１０２の裏側１０６の下部１１０に配置されている。接着剤１２２のバンドは、第１の側縁１０３から第２の側縁１０５まで延在している。接着剤１２２のバンドの下縁１２５は、タブ１００を取扱い易くするために、基材１０２の下縁１０９から間隔が空いている。
【００１２】
接着剤１２２は、永久接着剤または好適な感圧接着剤またはミネソタ州セントポールの３Ｍカンパニー（３Ｍ  Ｃｏｍｐａｎｙ，Ｓｔ．Ｐａｕｌ，ＭＮ）製ポストイット（Ｐｏｓｔ−ｉｔ）（登録商標）メモに用いる貼り直し可能な感圧接着剤のような貼り直し可能な感圧接着剤としてもよい。固体マイクロスフェアを含む例示の貼り直し可能な感圧接着剤は、米国特許第５，５７１，６１７号（コープライダーら（Ｃｏｏｐｒｉｄｅｒ，ｅｔ  ａｌ．））および第５，８２４，７４８号（ケスティら（Ｋｅｓｔｉ，ｅｔ  ａｌ．））に記載されている。その他の感圧接着剤を用いることもできる。本発明に用いる接着剤は貼り直し可能であるのが好ましく、タブ１００自身を「貼り直し可能」とすることができる。
【００１３】
図３は、図１のタブ１００の斜視図である。図示する通り、フラップ１１４は可撓性であり、基材１０２の前側１０４または裏側１０６のいずれかの面から除去してもよい。図３に示す通り、フラップ１１４は、基材１０２の前側１０４の面を超えて配置されている。フラップ１１４を基材１０２の面から動かすとき、開口部１２４は曲げフラップ１１４の領域から形成される。フラップ１１４は、切断部１２０の第１の端部１２１および切断部１２０の第２の端部１２３で終わっている。
【００１４】
図４は、タブ部１３６を形成する紙のシート（またはその他シート材料）１３０の上縁１３２と係合した図１のタブ１００の平面図である。紙のシート１３０は、フラップ１１４と基材１０２の裏側１０６との間に配置され（図１〜３参照）、切断部１２０の第１の端部１２１および第２の端部１２３に隣接した上縁１３２を有している。第１の距離１２６と第２の距離１２８は等しいため（図１参照）、紙のシート１３０の上縁１３２が切断部の第１の端部１２１および切断部１２０の第２の端部１２３と隣接しているときは、他の紙のシートに配置された他の同様のタブ１００に比べて均一なサイズおよび形状を有するタブ部分１３６を形成する。紙のシートとは、本明細書においては、タブの適用が最も引用されているが、プラスチックシートのような任意のシート材料（またはシート材料の多数のシート）が本発明においては予期されることに留意されたい。
【００１５】
タブ１００を紙のシート１３０に付けると、基材１０２の裏側１０６の下部１１０の接着剤１２２が紙のシート１３０に接合する。裏側１０６は前側１０４の反対であり、図２に示してある。接着剤１２２（図４にファントムで示してある）は、タブ１００の下部１１０を紙のシート１３０に固定し、一方、フラップ１１４の付いた紙のシート１３０の上縁１３２間の接触によって、タブ１００の上部１０８が紙のシート１３０に機械的に固定される。
【００１６】
タブ部１３６は、紙のシート１３０の上縁１３２を超えて延在するタブ１００の部分である。タブ部１３６は、略矩形の形状で示されているが、タブ部１３６は、紙のシート１３０の上縁１３２を超えて延在することができれば任意の形状であってよい。フラップ１１４を基材１０２の面から単純に配置し、紙のシート１３０をフラップ１１４とタブ１００の裏側１０６との間に挿入することにより、一定した均一なタブ１３６が紙のシート１３０に沿って形成される。図４に示すのと同様の大きなタブは、紙のシート１３０に関連してメモをするのに前側１０４に書込み面を与える。
【００１７】
本発明はまた、垂直表面に裏返して装着すると、シート、カードまたは写真ホルダとしても作用する。図５は、シートを保持する紙のシート１３０の下縁１３４と係合したタブ１００の平面図（図４の配向に対して裏返しにしたもの）である。紙の積み重ねから紙の特定のシートに付箋を付けるのに用いるタブ１３６を形成可能であることに加え、タブ１００をホルダとして用いてもよい。タブ１００は、図４の配向に比べて逆であり、紙のシート１３０の下縁１３４は、フラップ１１４と基材の前側１０４との間に置かれている。フラップ１１４と反対の基材１０２の裏側１０６の下部１１０の接着剤１２２（図２参照）は、壁、机、冷蔵庫または紙のシート１３０をディスプレイするその他表面のような指示面に接合する。フラップ１１４は、タブ１００の適所に紙のシート１３０を機械的に保持する役割を果たす。
【００１８】
図１〜５に示すタブ１００は、略Ｕ形切断部１２０を備えた全体が略四角形である。これより大きなタブ１００が有用であり、基材１０２の前側１０４の表面は、図４に示す通り、紙のシート１３０に付けられているが、メモしたりまたはその他マーキングをする書込み面となる。このような場合、前側１０４の表面はメモする線を有していてもよい。タブ１００は、その他のサイズ、形状または色であってもよい。タブ部分１３６は、タブ１００の残りの部分とは別の色であってもよい。また、タブ部分１３６には、タブ部分１３６に印を予め印刷したり、タブ部分１３６で書き込むための線を有することができる。貼り直し可能なタブの他の実施形態を図６Ａ〜６Ｅに示す。
【００１９】
図６Ａは、タブ２００の他の実施形態の前側２０４の平面図である。本実施形態において、タブ２００の全体の形状は略矩形である。フラップ２１４を形成する切断部２２０は略Ｕ形である。タブ２００は全体的に、長手方向軸２１２周囲で対称である。図４に示すのと同様に、紙のシートをフラップ２１４と裏側２０６との間に配置すると、矩形のタブ部分２３６は紙のシートを超えて延在する。ファントムで示す、裏側２０６の接着剤バンド２２２は、切断部２２０の反対に配置されて、紙のシートを接合する。
【００２０】
図６Ｂは、タブ３００の他の実施形態の前側３０４の平面図である。本実施形態において、タブ３００の全体の形状は略矩形である。フラップ３１４を形成する切断部３２０は略Ｕ形である。タブ３００は全体的に、長手方向軸３１２周囲で対称である。図４に示すのと同様に、紙のシートをフラップ３１４と裏側３０６との間に配置すると、矩形のタブ部分３３６は紙のシートを超えて延在する。ファントムで示す、裏側３０６の接着剤バンド３２２は、切断部３２０の反対に配置されて、紙のシートを接合する。
【００２１】
図６Ｃは、タブ４００の他の実施形態の前側４０４の平面図である。本実施形態において、タブ４００の全体の形状は三角形の頂点を備えた略三角形である。フラップ４１４を形成する切断部４２０は略Ｖ形である。タブ４００は全体的に、長手方向軸４１２周囲で対称である。図４に示すのと同様に、紙のシートをフラップ４１４と裏側４０６との間に配置すると、三角形のタブ部分４３６は紙のシートを超えて延在する。ファントムで示す、裏側４０６の接着剤バンド４２２は、切断部４２０の反対に配置されて、紙のシートを接合する。
【００２２】
図６Ｄは、タブ５００の他の実施形態の前側５０４の平面図である。本実施形態において、タブ５００の全体の形状は略円形である。フラップ５１４を形成する切断部５２０は略三日月形である。タブ５００は全体的に、長手方向軸５１２周囲で対称である。図４に示すのと同様に、紙のシートをフラップ５１４と裏側５０６との間に配置すると、円弧形のタブ部分５３６は紙のシートを超えて延在する。ファントムで示す、裏側５０６の接着剤バンド５２２は、切断部５２０の反対に配置されて、紙のシートを接合する。
【００２３】
図６Ｅは、タブ６００の他の実施形態の前側６０４の平面図である。本実施形態において、タブ６００の全体の形状は、タブ６００の下縁６３７が円弧形を形成するために除去された部分を有する略円形である。下縁６３７の円弧形は、使用者に、ファントムで示す接着バンド６２２の下部および全体的な位置を示す。下部は、下部を示すために除去された三日月部を備えた他の縁部形状により、または好適な印により示すことができる。フラップ６１４を形成する切断部６２０は略三日月形である。タブ６００は全体的に、長手方向軸６１２周囲で対称である。図４に示すのと同様に、紙のシートをフラップ６１４と裏側６０６との間に配置すると、円弧形のタブ部分６３６は紙のシートを超えて延在する。ファントムで示す、裏側６０６の接着剤バンド６２２は、切断部６２０の反対に配置されて、紙のシートを接合する。
【００２４】
図６Ａ〜６Ｅにタブの前側を示す。図６Ａ〜６Ｅに示す実施形態の裏側は、タブ１００について図２に示す裏側１０６と同様である。タブの各実施形態において、接着バンドは、切断部から反対の端部で裏側に貼り直し可能なタブを超えて配置されている。
【００２５】
図６Ａ〜６Ｅに示す各タブは、図４および部５に示すのと同様の紙のシートと組み合わせて用いてもよい。図１〜６Ｅに示す各実施形態において、切断部の第１の端部からタブの上縁まで、切断部の第２の端部からタブの上縁までの距離は等しい。各実施形態は、長手方向軸周囲で対称に示されているが、任意のサイズおよび形状を用いてもよい。さらに、所望の形状のタブが得られる限りは、切断部の任意のサイズまたは形状を用いてもよい。
【００２６】
図７は、タブ部分４３６を形成する紙のシート４３０の隅部と係合した図６Ｃのタブ４００の平面図である。前側４３１を有する紙のシート４３０は、裏側４０６が図２に示す裏側１０６と同様である場合に、フラップ４１４と裏側４０６との間に配置する。紙のシート４３０の上縁４３２および側縁４３５は、フラップ４１４を通して延在し、切断部４２０と係合している。切断部４２０は対称で、切断部の各端部がタブ４００の上縁までの距離と等しいため、タブ部分４３６は、紙のシート４３０の上縁４３２および側縁４３５を超えて等しく延在している。図４に図示した実施形態と同様に、接着バンド４２２（ファントムで示してある）を基材４０２の下部４１０の裏側４０６に適用する。接着バンド４２２は、紙のシート４３０と接触して接合する。基材４０２の上部４０８は、紙のシート４３０の隅部と係合し、フラップ４１４（図６Ｃ参照）は、紙のシートの隅部と機械的に係合して、タブ４００からの紙のシート４３０の移動を防ぐ。
【００２７】
貼り直し可能な感圧接着剤を与えると、タブは、紙のシート（またはその他シート材料）に配置してから、除去し、異なる紙のシートに再配置可能なタブ部分を与える。タブは、紙のシートの上部と適切かつ均一に並んで、タブに均一かつまとまりのある外観を与える紙のシートの上部に沿って従来の矩形タブ部分を与える。さらに、タブは異なる形状およびサイズであってもよく、紙のシートの隅または下部に配置してもよい。タブは、付箋の付いたページに直接マーキングせずに、付箋の付いたページに関してメモする領域となる書込み面を与える十分に大きなものとしてもよい。
【００２８】
貼り直し可能な接着剤を利用するタブ（または「貼り直し可能な」タブ）をパッケージして、ミネソタ州セントポールの３Ｍカンパニー（３Ｍ  Ｃｏｍｐａｎｙ，Ｓｔ．Ｐａｕｌ，ＭＮ）より入手可能なポストイット（Ｐｏｓｔ−ｉｔ）（登録商標）ブランドメモのパッドと同様の次の「貼り直し可能な」タブの前側に接合する裏側に接着剤バンド同士をスタックする。接着剤バンドをライナ表面に向けて、貼り直し可能なタブを連続ライナに提供してもよい。
【００２９】
本発明を、好ましい実施形態を参照して説明してきたが、当業者であれば、形態および詳細において変更を、本発明の技術思想および範囲から逸脱することなく行えるであろう。
【図面の簡単な説明】
【００３０】
【図１】タブの前側の平面図である。
【図２】タブの裏側の平面図である。
【図３】前側からの図１のタブの斜視図である。
【図４】タブを形成する紙のシートの上部と係合した図１のタブの前側の平面図である。
【図５】シートを保持する紙のシートの下部と係合した図１のタブの前側の平面図である。
【図６Ａ】タブの他の実施形態の前側の平面図である。
【図６Ｂ】タブの他の実施形態の前側の平面図である。
【図６Ｃ】タブの他の実施形態の前側の平面図である。
【図６Ｄ】タブの他の実施形態の前側の平面図である。
【図６Ｅ】タブの他の実施形態の前側の平面図である。
【図７】タブを形成する紙のシートの隅部と係合した図６Ｃのタブの平面図である。
【図１】
2008504998.tif 000003
【図２】
2008504998.tif 000004
【図３】
2008504998.tif 000005
【図４】
2008504998.tif 000006
【図５】
2008504998.tif 000007
【図６Ａ】
2008504998.tif 000008
【図６Ｂ】
2008504998.tif 000009
【図６Ｃ】
2008504998.tif 000010
【図６Ｄ】
2008504998.tif 000011
【図６Ｅ】
2008504998.tif 000012
【図７】
2008504998.tif 000013
【国際調査報告】
2008504998.tif 000014
2008504998.tif 000015